(57)【要約】  点灯アセンブリは、全内部反射によって光がその間を伝搬する対向する主面、光入力端縁、および異なる光学特性であり少なくとも一方が主面の対応する一方と関連付けられる２つの光出力領域を有する光ガイドを含む。点灯アセンブリは、光入力端縁と隣接して配置される光源も含む。光が光ガイドから発せられ光出力領域どうしの間で選択的に配分されるように、光源および光ガイドを互いに対して可変に位置決めして、光が光ガイドに入力される光入力端縁上の位置を変更することができ、したがって点灯アセンブリから出力される光の特性は、光出力領域に関連付けられた光学特性と、光源および光ガイドの相対的な位置決めとに基づいて修正される。
2014514688.tif 000002
【特許請求の範囲】
【請求項１】
点灯アセンブリであって、
全内部反射によって光がその間を伝搬する対向する主面、光入力端縁、および一方が主面の一方と関連付けられる２つの光出力領域を含む光ガイドを備え、各光出力領域は、異なる光学特性と関連付けられ、さらに、
光入力端縁と隣接して配置され、前記光ガイドに光を入力する光源を備え、光が前記光ガイドから発せられ前記光出力領域どうしの間で選択的に配分されるように、前記光源および前記光ガイドを互いに対して可変に位置決めして、光が前記光ガイドに入力される前記光入力端縁上の位置を変更することができ、したがって前記点灯アセンブリから出力される光の特性は、前記光出力領域に関連付けられた光学特性と、前記光源および前記光ガイドの相対的な位置決めとに基づいて修正される、点灯アセンブリ。
【請求項２】
前記点灯アセンブリから出力される光の修正される特性はスペクトルである、請求項１に記載の点灯アセンブリ。
【請求項３】
前記点灯アセンブリから出力される光の修正される特性は色温度である、請求項１に記載の点灯アセンブリ。
【請求項４】
前記点灯アセンブリから出力される光の修正される特性は光出力方向である、請求項１に記載の点灯アセンブリ。
【請求項５】
前記光出力領域に関連付けられた光学特性は単一の光学特性の量において異なる、請求項１に記載の点灯アセンブリ。
【請求項６】
前記光学特性は、反射性、拡散性、光方向変換性、偏光性、反射偏光性、強度低下性、波長シフト性、および色減衰性のうち少なくとも１つである、請求項５に記載の点灯アセンブリ。
【請求項７】
前記光出力領域の第１の光出力領域に関連付けられた光学特性は第１の特性を光出力に加え、前記光出力領域の第２の光出力領域に関連付けられた光学特性は異なる特性を光出力に加え、前記光学特性は、反射性、拡散性、光方向変換性、偏光性、反射偏光性、強度低下性、波長シフト性、および色減衰性のうち少なくとも１つである、請求項１に記載の点灯アセンブリ。
【請求項８】
主面が前記光ガイドの前記主面の一方に並置されかつ一致する光学アジャスタをさらに備え、前記光出力領域との前記光学特性の関連付けは、前記光出力領域と整列された前記光学アジャスタのそれぞれの光学アジャスタ領域によって実現される、請求項１に記載の点灯アセンブリ。
【請求項９】
前記光学アジャスタは第１の光学アジャスタであり、
前記点灯アセンブリは、前記第１の光学アジャスタに重ねられた第２の光学アジャスタをさらに備え、
前記第２の光学アジャスタは、光学特性が異なる光学アジャスタ領域を含み、前記第２の光学アジャスタの光学特性と、前記光源および前記光ガイドの相対的な位置決めとに基づいて、前記点灯アセンブリの光出力特性の数を増大させる、請求項８に記載の点灯アセンブリ。
【請求項１０】
前記光学アジャスタは第１の光学アジャスタであり、
前記点灯アセンブリは、主面が前記光ガイドの前記主面の一方に並置されかつ一致する第２の光学アジャスタをさらに備え、前記第２の光学アジャスタは、光学特性が異なる光学アジャスタ領域を含む、請求項８に記載の点灯アセンブリ。
【請求項１１】
前記第１の前記光学アジャスタは透過性の光学アジャスタ領域と反射性の光学アジャスタ領域とを有し、
前記第２の光学アジャスタは、前記第１の前記光学アジャスタの前記透過性の光学アジャスタ領域と整列された反射性の光学アジャスタ領域と、前記第１の前記光学アジャスタの前記反射性の光学アジャスタ領域と整列された透過性の光学アジャスタ領域とを有する、請求項１０に記載の点灯アセンブリ。
【請求項１２】
前記透過性の光学アジャスタ領域の少なくとも一方は、追加的に、拡散性、光方向変換性、偏光性、強度低下性、波長シフト性、および色減衰性のうち少なくとも１つである、請求項１１に記載の点灯アセンブリ。
【請求項１３】
前記光ガイドはさらに、
前記光ガイドの主面の少なくとも一方において第１の光抽出素子を含み、前記第１の光抽出素子は、前記光出力領域の第１の光出力領域を規定し、さらに、
前記光ガイドの主面の少なくとも一方において第２の光抽出素子を含み、前記第２の光抽出素子は、前記光出力領域の第２の光出力領域を規定し、
前記第１および第２の光抽出素子は、前記第１の光出力領域および前記第２の光出力領域に関連付けられた異なる光学特性を実現するようにそれぞれ構成される、請求項１に記載の点灯アセンブリ。
【請求項１４】
前記第１の光抽出素子は、前記第１の光出力領域が前記第２の光出力領域とは異なる強度プロファイルで光を出力するように、寸法、形状、深さまたは高さ、密度、向き、傾斜角、および屈折率のうち少なくとも１つにおいて前記第２の光抽出素子とは異なる、請求項１３に記載の点灯アセンブリ。
【請求項１５】
前記第１の光抽出素子は、前記第１の光出力領域が前記第２の光出力領域とは異なる光線角度分布で光を出力するように、寸法、形状、深さまたは高さ、密度、向き、傾斜角、および屈折率のうち少なくとも１つにおいて前記第２の光抽出素子とは異なる、請求項１３に記載の点灯アセンブリ。
【請求項１６】
前記光抽出素子は光散乱素子である、請求項１３に記載の点灯アセンブリ。
【請求項１７】
前記光抽出素子は明確に規定された形状を有する、請求項１３に記載の点灯アセンブリ。
【請求項１８】
前記光抽出素子はマイクロ光学素子である、請求項１３に記載の点灯アセンブリ。
【請求項１９】
前記光源は固体光源である、請求項１に記載の点灯アセンブリ。
【請求項２０】
各光出力領域は前記主面のうち同じ主面に関連付けられる、請求項１に記載の点灯アセンブリ。
【請求項２１】
各光出力領域は前記主面のうちそれぞれの主面に関連付けられる、請求項１に記載の点灯アセンブリ。
【請求項２２】
前記光出力領域の一方は前記主面の一方に関連付けられ、前記光出力領域の他方は、前記光ガイドの、前記光入力端縁の反対側の端縁に関連付けられる、請求項１に記載の点灯アセンブリ。
【請求項２３】
点灯アセンブリであって、
光が全内部反射によってその間を伝搬する対向する内側および外側主面、光入力端縁、およびある光学特性に関連付けられた光出力領域を含む第１の光ガイドと、
光が全内部反射によってその間を伝搬する対向する内側および外側主面、光入力端縁、およびある光学特性に関連付けられた光出力領域を含む第２の光ガイドとを備え、前記第２の光ガイドの前記内側主面は、前記第１の光ガイドの前記内側主面に並置されかつ一致し、さらに、
前記光入力端縁に隣接して配置された光源を備え、前記第１の光ガイドに入力され前記第１の光ガイドの前記光出力領域から出力される光の量と、前記第２の光ガイドに入力され前記第２の光ガイドの前記光出力領域から出力される光の量との間で光を選択的に配分するように、前記光源および前記光入力端縁を互いに対して可変に位置決めすることができ、したがって前記点灯アセンブリから出力される光の特性は、前記光出力領域に関連付けられた光学特性と、前記光源および前記光入力端縁の相対的な位置決めとに基づいて修正される、点灯アセンブリ。
【請求項２４】
各光出力領域は、前記外側主面のそれぞれに関連付けられる、請求項２３に記載の点灯アセンブリ。
【請求項２５】
各光出力領域は、他方の光ガイドの前記外側主面に関連付けられる、請求項２３に記載の点灯アセンブリ。
【請求項２６】
前記光出力領域の一方は前記外側主面のそれぞれに関連付けられ、前記光出力領域の他方はそれぞれの前記光入力端縁の反対側のそれぞれの前記光ガイドの端縁に関連付けられる、請求項２３に記載の点灯アセンブリ。
【請求項２７】
前記光ガイドは光抽出素子をそれぞれ有する、請求項２３に記載の点灯アセンブリ。
【請求項２８】
前記光源と前記光入力端縁との相対的な位置決めは、前記第１の光ガイドの前記外側主面から出る光の量と、前記第２の光ガイドの前記外側主面から出る光の量とを決定する、請求項２３に記載の点灯アセンブリ。
【請求項２９】
前記光源と前記光入力端縁との相対的な位置決めは、前記外側主面の一方または両方を通って出る光の量と、対応する光入力端縁の反対側の前記光ガイドの一方の端縁を通って出る光の量とを決定する、請求項２３に記載の点灯アセンブリ。
【請求項３０】
前記光源は固体光源である、請求項２３に記載の点灯アセンブリ。
【請求項３１】
電球であって、
前記電球を機械的に搭載し、かつ電力を受取るように構成されたベースと、
光が全内部反射によってその間を伝搬する対向する主面、光入力端縁、および一方が主面の一方と関連付けられる２つの光出力領域を含む光ガイドとを備え、各光出力領域は異なる光学特性と関連付けられ、さらに、
前記ベースに電気的に結合され、前記光入力端縁と隣接して配置されて、前記光ガイドに光を入力する光源を備え、光が前記光ガイドから発せられ前記光出力領域どうしの間で選択的に配分されるように、前記光源および前記光ガイドを互いに対して可変に位置決めして、光が前記光ガイドに入力される前記光入力端縁上の位置を変更することができ、したがって前記電球から出力される光の特性は、前記光出力領域に関連付けられた光学特性と、前記光源および前記光ガイドの相対的な位置決めとに基づいて修正される、電球。
【請求項３２】
前記光源に熱的に結合されたヒートシンクをさらに備える、請求項３１に記載の電球。
【請求項３３】
前記電球から出力される光の修正される特性はスペクトルである、請求項３１に記載の電球。
【請求項３４】
前記電球から出力される光の修正される特性は色温度である、請求項３１に記載の電球。
【請求項３５】
前記電球から出力される光の修正される特性は光出力方向である、請求項３１に記載の電球。
【請求項３６】
前記光出力領域と関連付けられる光学特性は、単一の光学特性の量において異なる、請求項３１に記載の電球。
【請求項３７】
前記光学特性は、反射性、拡散性、光方向変換性、偏光性、反射偏光性、強度低下性、波長シフト性、および色減衰性のうち少なくとも１つである、請求項３６に記載の電球。
【請求項３８】
前記光出力領域の第１の光出力領域に関連付けられた光学特性は第１の特性を光出力に加え、前記光出力領域の第２の光出力領域に関連付けられた光学特性は異なる特性を光出力に加え、前記光学特性は、反射性、拡散性、光方向変換性、偏光性、反射偏光性、強度低下性、波長シフト性、および色減衰性のうち少なくとも１つである、請求項３１に記載の電球。
【請求項３９】
主面が前記光ガイドの前記主面の一方に並置されかつ一致する光学アジャスタをさらに備え、前記光出力領域との前記光学特性の関連付けは、前記光出力領域と整列された前記光学アジャスタのそれぞれの光学アジャスタ領域によって実現される、請求項３１に記載の電球。
【請求項４０】
前記光学アジャスタは第１の光学アジャスタであり、
前記電球は、前記第１の光学アジャスタに重ねられた第２の光学アジャスタをさらに備え、
前記第２の光学アジャスタは、光学特性が異なる光学アジャスタ領域を含み、前記第２の光学アジャスタの光学特性と、前記光源および前記光ガイドの相対的な位置決めとに基づいて、前記電球の光出力特性の数を増大させる、請求項３９に記載の電球。
【請求項４１】
前記光学アジャスタは第１の光学アジャスタであり、
前記電球は、主面が前記光ガイドの前記主面の一方に並置されかつ一致する第２の光学アジャスタをさらに備え、前記第２の光学アジャスタは、光学特性が異なる光学アジャスタ領域を含む、請求項３９に記載の電球。
【請求項４２】
前記第１の前記光学アジャスタは透過性の光学アジャスタ領域と反射性の光学アジャスタ領域とを有し、
前記第２の光学アジャスタは、前記第１の前記光学アジャスタの前記透過性の光学アジャスタ領域と整列された反射性の光学アジャスタ領域と、前記第１の前記光学アジャスタの前記反射性の光学アジャスタ領域と整列された透過性の光学アジャスタ領域とを有する、請求項４１に記載の電球。
【請求項４３】
前記透過性の光学アジャスタ領域の少なくとも一方は、追加的に、拡散性、光方向変換性、偏光性、強度低下性、波長シフト性、および色減衰性のうち少なくとも１つである、請求項４２に記載の電球。
【請求項４４】
前記光ガイドはさらに、
前記光ガイドの主面の少なくとも一方において第１の光抽出素子を含み、前記第１の光抽出素子は、前記光出力領域の第１の光出力領域を規定し、さらに、
前記光ガイドの主面の少なくとも一方において第２の光抽出素子を含み、前記第２の光抽出素子は、前記光出力領域の第２の光出力領域を規定し、
前記第１および第２の光抽出素子は、前記第１の光出力領域および前記第２の光出力領域に関連付けられた異なる光学特性を実現するようにそれぞれ構成される、請求項３１に記載の電球。
【請求項４５】
前記第１の光抽出素子は、前記第１の光出力領域が前記第２の光出力領域とは異なる強度プロファイルで光を出力するように、寸法、形状、深さまたは高さ、密度、向き、傾斜角、および屈折率のうち少なくとも１つにおいて前記第２の光抽出素子とは異なる、請求項４４に記載の電球。
【請求項４６】
前記第１の光抽出素子は、前記第１の光出力領域が前記第２の光出力領域とは異なる光線角度分布で光を出力するように、寸法、形状、深さまたは高さ、密度、向き、傾斜角、および屈折率のうち少なくとも１つにおいて前記第２の光抽出素子とは異なる、請求項４４に記載の電球。
【請求項４７】
前記光抽出素子は光散乱素子である、請求項４４に記載の電球。
【請求項４８】
前記光抽出素子は明確に規定された形状を有する、請求項４４に記載の電球。
【請求項４９】
前記光抽出素子はマイクロ光学素子である、請求項４４に記載の電球。
【請求項５０】
前記光源は固体光源である、請求項３１に記載の電球。
【請求項５１】
各光出力領域は前記主面のうち同じ主面に関連付けられる、請求項３１に記載の電球。
【請求項５２】
各光出力領域は前記主面のうちそれぞれの主面に関連付けられる、請求項３１に記載の電球。
【請求項５３】
前記光出力領域の一方は前記主面の一方に関連付けられ、前記光出力領域の他方は、前記光ガイドの、前記光入力端縁の反対側の端縁に関連付けられる、請求項３１に記載の電球。
【請求項５４】
電球であって、
前記電球を機械的に搭載し、かつ電力を受取るように構成されたベースと、
光が全内部反射によってその間を伝搬する対向する内側および外側主面、光入力端縁、およびある光学特性に関連付けられた光出力領域を含む第１の光ガイドと、
光が全内部反射によってその間を伝搬する対向する内側および外側主面、光入力端縁、およびある光学特性に関連付けられた光出力領域を含む第２の光ガイドとを備え、前記第２の光ガイドの前記内側主面は、前記第１の光ガイドの前記内側主面に並置されかつ一致し、さらに、
前記ベースに電気的に結合され、前記光入力端縁に隣接して配置された光源を備え、前記第１の光ガイドに入力され前記第１の光ガイドの前記光出力領域から出力される光の量と、前記第２の光ガイドに入力され前記第２の光ガイドの前記光出力領域から出力される光の量との間で光を選択的に配分するように、前記光源および前記光入力端縁を互いに対して可変に位置決めすることができ、したがって前記電球から出力される光の特性は、前記光出力領域に関連付けられた光学特性と、前記光源および前記光入力端縁の相対的な位置決めとに基づいて修正される、電球。
【請求項５５】
各光出力領域は、前記外側主面のそれぞれに関連付けられる、請求項５４に記載の電球。
【請求項５６】
各光出力領域は、他方の光ガイドの前記外側主面に関連付けられる、請求項５４に記載の電球。
【請求項５７】
前記光出力領域の一方は前記外側主面のそれぞれに関連付けられ、前記光出力領域の他方はそれぞれの前記光入力端縁の反対側のそれぞれの前記光ガイドの端縁に関連付けられる、請求項５４に記載の電球。
【請求項５８】
前記光ガイドは光抽出素子をそれぞれ有する、請求項５４に記載の電球。
【請求項５９】
前記光源と前記光入力端縁との相対的な位置決めは、前記第１の光ガイドの前記外側主面から出る光の量と、前記第２の光ガイドの前記外側主面から出る光の量とを決定する、請求項５４に記載の電球。
【請求項６０】
前記光源と前記光入力端縁との相対的な位置決めは、前記外側主面の一方または両方を通って出る光の量と、対応する光入力端縁の反対側の前記光ガイドの一方の端縁を通って出る光の量とを決定する、請求項５４に記載の電球。
【請求項６１】
前記光源は固体光源である、請求項５４に記載の電球。
【請求項６２】
電球であって、
前記電球を機械的に搭載し、かつ電力を受取るように構成されたベースと、
前記ベースに機械的に結合されたハウジングと、
前記ベースに電気的に結合され、前記ハウジングに機械的に結合された光源と、
前記光源に対して可変に位置決めすることができるように前記ハウジングに機械的に結合された光ガイドとを備え、前記光ガイドは、光が全内部反射によってその間を伝搬する対向する主面、光入力端縁、および前記主面の少なくとも一方における２つの光抽出素子を含み、前記光ガイドは、前記光ガイドが前記光源によって端縁照射されるように前記光入力端縁が前記光源と隣接する第１の位置と、前記光ガイドが前記光源によって端縁照射されない第２の位置との間で位置決めすることができる、電球。
【請求項６３】
前記光抽出素子は、拡散光線角度分布で前記光ガイドから光を抽出するように構成される、請求項６２に記載の電球。
【請求項６４】
前記ハウジングに機械的に結合された光学アジャスタをさらに備え、前記光学アジャスタは、前記光ガイドが前記第２の位置にあるときに前記光学アジャスタが前記光源と整列されるように、前記光源に対して可変に位置決めすることができる、請求項６２に記載の電球。
【請求項６５】
前記光学アジャスタはレンズを含む、請求項６２に記載の電球。
【請求項６６】
前記光学アジャスタは視準レンズである、請求項６５に記載の電球。
【請求項６７】
前記光ガイドが前記第２の位置にあるときには、前記光ガイドが前記第１の位置にあるときよりも狭い光線角度分布で光が発せられる、請求項６６に記載の電球。
【請求項６８】
前記ハウジングに機械的に結合された調節部材をさらに備え、前記光ガイドおよび前記光学アジャスタは前記調節部材に結合され、前記調節部材は、前記第１の位置と前記第２の位置との間で前記光ガイドを移動させ、前記光ガイドが前記第２の位置にあるときに前記光学アジャスタを前記光源と整列するように移動させるように、前記ハウジングに対して可変に位置決めすることができる、請求項６２に記載の電球。
【請求項６９】
前記光ガイドが前記第１の位置および前記第２の位置にあるときには、前記光ガイドが前記第１の位置および前記第２の位置の一方にないときに対して、前記調節部材は移動に対する抵抗が増大する、請求項６８に記載の電球。
【請求項７０】
前記ハウジングは、空気がそこを通って流れて前記光源によって生じた熱を放散する冷却空気孔を含み、前記調節部材は、前記光ガイドが前記第１の位置および前記第２の位置にあるときに前記ハウジングの前記冷却空気孔と整列する開口部を含む、請求項６８に記載の電球。
【請求項７１】
前記光源は固体光源である、請求項６２に記載の電球。
【請求項７２】
前記ベースは電球ねじベースである、請求項６２に記載の電球。
【発明の詳細な説明】
【背景技術】
【０００１】
関連する出願データ
本願は、２０１１年３月１７日に提出された米国仮特許出願番号第６１／４５３，７５６号の利益を主張し、２０１１年３月１８日に提出された米国仮特許出願番号第６１／４５４，２２１号の利益を主張し、かつ２０１２年２月２３日に提出された米国仮特許出願番号第６１／６０２，１９３号の利益を主張する。これらの開示全体を参照によってここに組込む。
【０００２】
背景
エネルギ効率は、エネルギを消費する装置にとって関心領域となっている。エネルギを消費する装置の一種は、点灯装置である。発光ダイオード（ＬＥＤ）は、点灯装置にとってエネルギ効率の良い光源として将来性がある。しかし、ＬＥＤまたは同様の光源を使用する点灯装置にとって、色および光出力分布に対する制御が課題である。
【図面の簡単な説明】
【０００３】
【図１】光源アセンブリを示すために電球のハウジングの一部分が切取られた、調整可能な光出力を有する例示的な点灯アセンブリを表わす電球の概略図である。
【図２】調整可能な光出力を有する別の例示的な点灯アセンブリを表わす照明器具の概略図である。
【図３】調整可能な光出力を有する点灯アセンブリの実施例の一部を示す概略図である。
【図４】調整可能な光出力を有する点灯アセンブリの実施例の一部を示す概略図である。
【図５】調整可能な光出力を有する点灯アセンブリの実施例の一部を示す概略図である。
【図６】調整可能な光出力を有する点灯アセンブリの実施例の一部を示す概略図である。
【図７】調整可能な光出力を有する点灯アセンブリの実施例の一部を示す概略図である。
【図８】調整可能な光出力を有する点灯アセンブリの実施例の一部を示す概略図である。
【図９】調整可能な光出力を有する点灯アセンブリの実施例の一部を示す概略図である。
【図１０】調整可能な光出力を有する点灯アセンブリの実施例の一部を示す概略図である。
【図１１】調整可能な光出力を有する点灯アセンブリの実施例の一部を示す概略図である。
【図１２】調整可能な光出力を有する点灯アセンブリの実施例の一部を示す概略図である。
【図１３】調整可能な光出力を有する点灯アセンブリの実施例の一部を示す概略図である。
【図１４】調整可能な光出力を有する点灯アセンブリの実施例の一部を示す概略図である。
【図１５】調整可能な光出力を有する点灯アセンブリの実施例の一部を示す概略図である。
【図１６】調整可能な光出力を有する点灯アセンブリの実施例の一部を示す概略図である。
【図１７】調整可能な光出力を有する点灯アセンブリの実施例の一部を示す概略図である。
【図１８】調整可能な光出力を有する点灯アセンブリの実施例の一部を示す概略図である。
【図１９】調整可能な光出力を有する点灯アセンブリの実施例の一部を示す概略図である。
【図２０】調整可能な光出力を有する点灯アセンブリの実施例の一部を示す概略図である。
【図２１】調整可能な光出力を有する点灯アセンブリの別の実施例の分解図である。
【図２２】図２１の点灯アセンブリの斜視図である。
【図２３】図２１の点灯アセンブリの上面図である。
【発明を実施するための形態】
【０００４】
詳細な説明
図面を参照して実施例を説明する。全体を通じて、同じ要素に言及するのに同じ参照符号が使用される。図は必ずしも縮尺通りではない。一実施例について説明および／または例示される特徴は、１つ以上の他の実施例では同じようにもしくは同様に、かつ／または他の実施例の特徴と組合わせてもしくはその代わりに使用され得る。
【０００５】
この開示の局面は点灯アセンブリに関する。図１に例示されるように、ある種類の点灯アセンブリ１０は電球１２である。図２に例示されるように、別の種類の点灯アセンブリ１０は照明器具１４である。
【０００６】
以下でより詳しく説明するように、点灯アセンブリは、全内部反射によって光がその間を伝搬する対向する主面、光入力端縁、および２つの光出力領域を有する光ガイドを含み、光出力領域の少なくとも一方は主面の一方に関連付けられる。各光出力領域は異なる光学特性に関連付けられる。点灯アセンブリは、光入力端縁に隣接して配置されて光を光ガイドに入力する光源も含む。光源から光が発せられ、光出力領域どうしの間で選択的に配分されるように、光源および光ガイドを互いに対して可変に位置決めして光が光ガイドに入力される光入力端縁上の位置を変動させることができる。このように、点灯アセンブリから出力される光の特性は、光出力領域に関連付けられた光学特性と、光源および光ガイドの相対的な位置決めとに基づいて修正される。
【０００７】
電球１２の場合、電球１２は、機械的に電球を取付け、かつ電力を受けるように構成されたベースを追加的に含む。
【０００８】
図３を追加的に参照して、電球１２にせよ照明器具１４にせよ別の種類の点灯装置にせよ、点灯アセンブリ１０についてより詳細に説明する。点灯アセンブリ１０は光源アセンブリ１６を含む。光源アセンブリ１６（図１および図２）は１つ以上の光源１８を含む。各光源１８は、典型的に１つ以上の固体装置として具体化される。一実施例では、光源１８はプリント回路基板（ＰＣＢ）１９（図１）に搭載される。
【０００９】
例示的な光源１８は、ＬＥＤ、レーザダイオード、有機ＬＥＤ（ＯＬＥＤ）などの固体装置を含む。光源１８が１つ以上のＬＥＤである実施例では、ＬＥＤはトップファイア（top-fire）ＬＥＤまたはサイドファイア（side-fire)型ＬＥＤであり得、広域スペクトルＬＥＤ（たとえば白色光を発する）、または所望の色やスペクトルの光（たとえば赤色光、緑色光、青色光、または紫外線）を発するＬＥＤであり得る。一実施例では、光源１８は、５００ナノメートル（ｎｍ）を超える波長で動作可能な有効強度を有しない光を発する（すなわち、光源１８は主に５００ｎｍ未満の波長で発光する）。特に例示しないが、光源アセンブリ１６は、光源１８を保持するために構造的な構成要素（たとえばＰＣＢ１９）も含む。光源アセンブリ１６は、回路類、光源１８を制御しかつ駆動するための電源および／または電子回路、ヒートシンク、ならびにいずれかの他の適切な構成要素も追加的に含み得る。
【００１０】
点灯アセンブリ１０は光ガイド２０も含む。光源１８からの光は光ガイド２０に入力される。光ガイド２０は、たとえばアクリル樹脂、ポリカーボネート、ガラス、または別の適切な材料からなる中実品である。光ガイド２０は、２つ以上の層を有する多層光ガイドでもあり得る。光ガイド２０は、対向する主面２２および２４を有する。光ガイド２０の構造に依存して、光ガイドは少なくとも１つの端縁を有する。たとえば、光ガイド２０がドーム状に形成される場合、光ガイドは１つの端縁を有する。光ガイド２０が（たとえば図１および図７に示されるように）中空の円筒である場合、截頭円錐形である場合、截頭ピラミッドである場合、ドームの頂点に穴が開けられたドーム状であるかまたは別の同様の形状である場合、光ガイドは２つの対向する端縁を有する。電球１２または照明器具１４のいずれかについて、球体または従来の白熱電球の球根状の形状に近い形状などの他の光ガイド２０の形状が可能である。一実施例では、電球構造または照明器具構造は、三次元の幾何学的な（たとえば多角形）構造に配置される平坦なまたは湾曲した光ガイド２０を用いて設定され得る。光ガイド２０が（たとえば図２および３に示されるように）矩形である場合、光ガイド２０は４つの端縁を有する。光ガイド２０のための他の形状は、対応する数の端縁をもたらす。光ガイド２０の形状に依存して、各端縁は直線経路または湾曲した経路に従い、隣接する端縁は頂点で接触するかまたは曲線で接合し得る。
【００１１】
端縁のうちの１つは、光入力端縁２６として機能する。いくつかの実施例では、光入力端縁２６は、（たとえば図１および図２に示されるように）光ガイド２０の外側端縁である。実施例では、光入力端縁２６は光ガイド２０の内側端縁であり、光ガイド２０に完全に囲まれた端縁であって、通常は（たとえば図６に示されるように）光ガイド２０の主面どうしの間に延在する穴４２の端縁である。光源１８から出力される光は、光入力端縁２６の方に向けられる。光ガイド２０に光を入力するのを助けるために、追加的な光学素子（たとえばレンズ、反射器など）が存在し得る。一旦光ガイド２０に入力されると、光は対向する主面２２，２４における全内部反射（ＴＩＲ）によって光ガイドを通って伝搬する。本開示において、光ガイド２０の光入力表面はすべて光入力端縁であるとみなされ、これは、たとえ当該表面が光ガイドの主面２２，２４の一方に配置される場合や、当該主面が、光が主面２２，２４において全内部反射によって光ガイド２０に沿って伝搬できるように光を光ガイドに導入する光回転および／または均質化構造の一部を形成する場合にも当てはまる。
【００１２】
主面２２，２４の各々の長さおよび幅寸法は、光ガイド２０の厚みよりもはるかに大きく、典型的に１０倍以上大きい。たとえば、図２に示される矩形の実施例では、光ガイド２０の長さ（光入力端縁２６から光入力端縁２６の遠位の反対側の端縁まで測定）および幅（光入力端縁２６に沿って測定）は両方とも光ガイド２０の厚みよりもはるかに大きい。厚みは、主面と直交する方向における光ガイド２０の寸法である。光ガイド２０の厚みは、たとえば約０．１ミリメートル（ｍｍ）〜約１０ｍｍであり得る。光ガイド２０は剛性または可撓性であり得る。
【００１３】
引き続き図３を参照し、光ガイド２０は、主面２２，２４のうち少なくとも一方内またはその上に光抽出素子２７を含む。添付の図面の図に示される各光ガイド２０に関して具体的には例示しないが、各光ガイド２０は、説明される光抽出機能を実現するための構造で光抽出素子２７を含む。
【００１４】
主面２２，２４内またはその上にある光抽出素子２７は、主面２２，２４「に」あるものとして言及される。各光抽出素子２７は、光抽出素子２７に入射する伝搬光の全内部反射を乱すように機能する。一実施例では、光抽出素子２７は、光が対向する主面を通って光ガイド２０から出るように、対向する主面に向けて光を反射する。代替的に、光抽出素子２７は、光抽出素子２７を通って光抽出素子２７を有する光ガイド２０の主面２２，２４から外へ光を伝達する。別の実施例では、これらの種類の光抽出素子２７が両方とも存在する。さらに別の実施例では、光抽出素子２７は光の一部を反射し、そこに入射する光の残りの部分を屈折させる。したがって、光抽出素子２７は、主面２２，２４の一方または両方から光を抽出するように構成される。
【００１５】
光抽出素子２７は、主面２２，２４の一方または両方の１つ以上の別個の光出力領域２８，３０から光を抽出するように主面２２，２４に配置される。光出力領域が主面２２，２４の一方の一部またはすべてを占めることが可能である。
【００１６】
光源１８の光ガイド２０に対する配置と、光源１８から出力される光の角度範囲３２と、光抽出素子２７の構造とにより、各光出力領域２８，３０を通って出る光の部分が決まる。各光出力領域２８の光抽出素子２７は、光がそこを通って発せられる主面２２，２４の一方もしくは両方に、または対向する主面２２，２４にあり得る。このような光抽出素子２７を有する光ガイドは典型的に、スタンピング（stamping）、成形、エンボス加工、押出、レーザエッチング、化学エッチングまたは別の好適なプロセスなどの処理によって形成される。光抽出素子２７は、光ガイド２０に硬化可能材料からなる素子を堆積し、熱、紫外線または他の放射を用いて堆積材料を硬化させることによっても作製可能である。硬化可能材料は、印刷、インクジェット印刷、スクリーン印刷、または別の好適なプロセスなどの処理によって堆積可能である。代替的に、光抽出素子２７は、光ガイドの内側主面２２，２４の間に存在し得る（たとえば、光抽出素子２７は、光ガイド内に配置された光方向変換粒子および／または空隙であり得る）。
【００１７】
光抽出素子２７は、光出力領域にわたって、均一な強度などの規定された強度プロファイルおよび／または規定された光線角度分布で光を抽出するように構成される。光抽出素子２７における変動を用いることで、各光出力領域は同じ強度プロファイルおよび／または光線角度分布を有する必要がない。強度プロファイルとは、（光出力領域２８または光出力領域３０などの）発光領域内の位置に伴う強度の変動を指す。光線角度分布とは、（光出力領域２８または光出力領域３０などの）発光領域から発せられた光の光線角度（典型的に立体角）に伴う強度の変動を指す。
【００１８】
例示的な光抽出素子２７は光散乱素子を含み、これらは典型的に、印刷した特徴、インクジェット印刷した特徴、選択的に堆積した特徴、化学的にエッチングした特徴、レーザエッチングした特徴などの、不明瞭な形状または表面組織の特徴である。他の例示的な光抽出素子２７は、Ｖ字溝、レンズ状溝などの明確に規定された形状の特徴や、マイクロ光学素子とも称される、主面２２，２４の線寸法に対して小さい明確に規定された形状の特徴を含む。マイクロ光学素子の長さおよび幅の小さい方は、光ガイド２０の長さおよび幅の大きい方の１０分の１未満であり、マイクロ光学素子の長さおよび幅の大きい方は、光ガイドの長さおよび幅の小さい方の２分の１である。マイクロ光学素子の長さおよび幅は、平坦な光ガイド２０用の光ガイド２０の主面２２，２４に平行な平面内で、または平坦でない光ガイド２０の表面輪郭に沿って測定される。
【００１９】
マイクロ光学素子は、予想通りに光を反射するように、または予想通りに光を屈折させるように成形される。しかし、マイクロ光学素子の表面の１つ以上を粗面化などによって修正して、光出力に２次的な影響を及ぼしてもよい。例示的なマイクロ光学素子が米国特許第６，７５２，５０５号に記載されているが、簡潔にするため本開示では詳細に説明しない。マイクロ光学素子は、光ガイド２から所望の光出力が実現されるように、サイズ、形状、深さもしくは高さ、密度、向き、傾斜角、または屈折率の１つ以上において変化し得る。
【００２０】
添付の図に示される各光ガイド２０に関連して具体的に例示しないが、各光ガイド２０は、説明される光取出し機能を実現するための構造で光抽出素子２７を含む。
【００２１】
図３〜図５は、点灯アセンブリ１０の光出力の特性を修正するように動作可能な点灯アセンブリ１０の構成要素の一実施例を概略的に例示する。この実施例では、光ガイド２０は第１の光出力領域２８および第２の光出力領域３０を有する。例示されているように、２つ以上の第１の光出力領域２８および２つ以上の第２の光出力領域３０がある。２つ以上の光出力領域が２組以上ある実施例では、光出力領域の各組はそれぞれの光源１８に関連付けられる。光源１８は角度範囲３２を有する。これは、光の大部分の量が光源によって発せられる光線角度の範囲である。
【００２２】
第１の光出力領域２８は、第２の光出力領域３０の光学特性とは異なる光学特性を有する。図３〜図５の実施例の光学特性は各々、領域２８，３０の材料性質、または領域２８，３０の光学特性影響構造によってもたらされる。異なる光学特性は、添付の図において異なる種類の表面ハッチングで示される。異なる光学特性は、２つの異なる種類の光学特性または同種の光学特性の異なる量であり得る。光出力領域２８，３０の例示的な光学特性は、鏡面透過性、反射性、拡散性、光方向変換性、偏光性、反射偏光性、強度低下性、波長シフト性、および色減衰性を含む。波長シフトは、ここでは、材料がある波長で光を吸収し、１つ以上の異なる波長で光を再び発する処理を指すのに用いられる。波長シフトは、蛍光体材料、発光材料、量子ドット材料などの発光ナノ材料、共役高分子材料、有機蛍光染料、有機燐光染料、ランタニド添加ガーネット（lanthanide-doped garnet）などを用いて実現され得る。色減衰は、色フィルタリング材料を用いて実現され得る。
【００２３】
例示された実施例では、第１の光出力領域２８から第２の光出力領域３０への光学特性の変化は急峻である。一実施例では、第１の光出力領域２８と第２の光出力領域３０との間に障壁（図示せず）が設けられ、出力領域間の光漏れを減少させる。一例では、出力領域間の境界において主面２２，２４の一方または両方から光ガイド２０に延在する溝が障壁として機能する。反射性または不透明な材料が溝に配置され得る。たとえば、溝の壁は反射性材料でコーティングされ得る。他の実施例では、第１の領域２８と第２の領域３０との間の移行は緩やかであり得る。緩やかな移行は、領域２８，３０の少なくとも一方が強度低下、波長シフト、または色減衰に関連する光学特性を有する場合に適切であり得るが、他の状況でも使用され得る。光出力領域２８，３０が点灯アセンブリ１０から出力される光に及ぼす効果について、以下でより詳細に説明する。
【００２４】
光出力領域、たとえば光出力領域２８，３０の各組は、光ガイド２０と光源１８との相対的な位置決めに依存して、光出力領域２８，３０から出力される光を光出力領域２８，３０の間で配分される量で生成する少なくとも１つの光源１８を有する。より具体的には、光ガイド２０および光源１８の一方または両方を互いに対して位置決めすることができる。光源１８からの光が光ガイド２０に入力される位置により、光が光ガイド２０から出る場所が決まる。たとえば図３では、光源１８は、光入力端縁２６の、第１の光出力領域２８に対応するエリアにおいて、光入力端縁２６に隣接して配置される。したがって、光源１８からの光は、第２の光出力領域３０を介して出るよりも多くが第１の光出力領域２８を介して光ガイド２０から出る。
【００２５】
図４および図５に示される例では、光源１８は図３に示される位置に対してそれぞれの距離だけ横方向に移動されており、光ガイド２０に対する光源１８の位置を変化させ、第１の光出力領域２８から出る光源１８からの光の部分と、相応して第２の光出力領域３０から出る光源１８からの光の部分とを生成する。別の例（図示せず）では、光ガイド２０が横方向に移動されて光源１８に対するその位置を変化させ、同様の効果を生み出す。一実施例では、図３に示すように、光源１８から発せられる光が第２の光出力領域３０から出るよりも多く第１の光出力領域２８から出るように、相対的な位置決めが変更される。また、図５に示されるように、光源１８から発せられる光が第１の光出力領域２８を介して光ガイドから出るよりも多く第２の光出力領域３０を介して光ガイドから出るように、相対的な位置決めが変更される。また、図４に示されるように、光源１８から発せられる光の同等の部分が第１の光出力領域２８と第２の光出力領域３０とから出るように、相対的な位置決めが変更される。上記のように第１の光出力領域２８と第２の光出力領域３０との間に障壁を配置することで、図３に示される例では第１の光出力領域２８を介して光ガイドから出る光の量と第２の光出力領域３０を介して光ガイドから出る光の量との比率が増大し、図５に示される例ではその逆となる。
【００２６】
図３〜図５に例示される可変の相対的な位置決めにより、点灯アセンブリ１０から出力される光を、第１の光出力領域２８を介して出力される光と第２の光出力領域３０を介して出力される光との間で選択的に配分することが可能となる。第１の光出力領域２８を介して出力される光は第１の光出力領域２８の光学特性によって修正され、第２の光出力領域３０を介して出力される光は第２の光出力領域３０の光学特性によって修正される。したがって、点灯アセンブリ１０から出力される光の全体的な特性は、光出力領域に関連付けられた光学特性と、光源１８および光ガイド２０の相対的な位置決めとに基づいて修正される。
【００２７】
一実施例では、相対的な位置決めはユーザによって手動で変更される。図１に示された例では、点灯アセンブリ１０は、光ガイド２０および光源１８の一方または両方を互いに対して移動させて光ガイド２０（およびしたがって光出力領域２８）と光源１８との相対的な位置決めを変更する、ユーザが操作可能な機構３４を含む。図１に示されるように、光源１８はハウジング３６に対して固定され、光ガイド２０は、機構３４に手動で力を加えることによってそれに対して回転移動可能である。図１の実施例では、機構３４は、光ガイド２０に固定され、電球１２のハウジング３６の一部分上を摺動する部材である。一実施例では、移動量は止め具（例示せず）によって限定される。他の手動操作機構が可能である。たとえば、他の種類のスライダを採用してもよいし、回転可能なノブがギヤもしくは駆動列によって移動可能な構成要素にしてもよい。他の実施例では、機構３４を電動化して、光ガイド２０および光源１８の一方または両方を互いに対して移動させる。電動機構は、ユーザ入力、センサからのフィードバック、または誘因となる事象に基づいて光出力を調整するように制御アセンブリ（図示せず）によって制御され得る。さらに他の実施例では機構３４はなく、例示的な円筒の場合にはトルクである位置決め力を、光源アセンブリ１６および光ガイド２０のうち移動可能な一方に直接加えることによって調整が行われる。
【００２８】
一旦位置決めされると、光ガイド２０と光源１８との相対的な位置決めは、ユーザまたは制御アセンブリがその相対的な位置決めを変更するまで変化しないままである。光源１８に対する光ガイド２０の一定の動きは点灯アセンブリ１０の動作中には考慮されないため、光ガイド２０および／または光源１８の移動の範囲は限定され得る。移動の範囲は、光ガイド２０または光源１８を一方向に無限に移動させるのではなく、領域２８，３０を光源１８と整列したり整列しなくなるように移動させる往復摺動に限定され得る。
【００２９】
点灯アセンブリ１０によって出力される光の特性の表示をユーザに提供するために視覚的な表示器が存在してもよい。図１の例示された実施例では、たとえば、刻印３８が光ガイド２０上に存在し、ハウジング上のポインタ４０に対して整列してこの表示を提供する。
【００３０】
図６を追加的に参照して、調整可能な光出力を有する点灯アセンブリ１０の別の実施例が概略的に例示される。この実施例では、円盤状の光ガイド２０は、２つの光出力領域２８，３０を２組有する。光出力領域２８，３０は、異なる光学特性を有する。光ガイドは、典型的にその中心において光ガイド２０の主面２２，２４の間を延在する穴４２を有する。この実施例では、穴４８の端縁が光ガイド２０の光入力端縁２６をもたらす。各光源１８からの光は、光入力端縁２６を通って光ガイド２０に入力される。光ガイド２０と光源１８との可変の相対的な位置決めにより、各光源１８によって発せられる光を、第１の光出力領域２８によって出力され修正される光と第２の光出力領域３０によって出力され修正される光とに選択的に配分する。
【００３１】
図７を追加的に参照して、調整可能な光出力を有する点灯アセンブリ１０の一部の別の実施例が概略的に例示される。この実施例では、中空の円筒状の光ガイド２０は、異なる光学特性を有する２つの光出力領域２８，３０を有する。光は光入力端縁２６を通って入力される。光入力端縁２６は光ガイド２０の一端に沿った端縁である。光ガイド２０と光源１８との可変の相対的な位置決めにより、光を、第１の光出力領域２８によって出力され修正される光と第２の光出力領域３０によって出力され修正される光とに選択的に配分する。
【００３２】
図８〜図１０を追加的に参照して、調整可能な光出力を有する点灯アセンブリ１０の一部の別の実施例が概略的に例示される。この実施例では、光ガイド２０の光出力領域は異なる光学特性を有さない（たとえば、光ガイド２０には別個の領域を形成するような区別可能な相違が存在しない場合がある）が、光を出力する光ガイド２０のエリアは、光源１８と光ガイド２０との可変の相対的な位置決めに依存する。典型的に、光を出力するエリアは光源１８と整列される。たとえば図８〜図１０に示されるそれぞれの相対的な位置を使用することで、図８に示されるように光源１８が光入力端縁２６の右側４２に位置決めされると、第１の光出力領域２８を通るよりも多くの光が光ガイド２０の第２の光出力領域３０を通って出る。この例に従って、図９に示されるように光源１８が光入力端縁２６の中央付近に位置決めされると、光は第１の光出力領域２８と第２の出力領域３０との間でほぼ等しく配分される。配分は、光源１８と光ガイド２０との相対的な位置決めに依存する。図１０に示されるように光源１８が光入力端縁２６の左側４４に位置決めされると、第２の光出力領域３０を通るよりも多くの光が光ガイド２０の第１の光出力領域２８を通って出る。上記と同様のやり方で、障壁（図示せず）を使用して、光ガイド２０内に、光学的に分離された光出力領域２８，３０を規定し得る。
【００３３】
図８〜図１０の実施例では、光源１８と光ガイド２０との相対的な位置決めに基づいて光出力の所望の修正を実現するために、点灯アセンブリ１０は、光学アジャスタ４６をさらに含む。光学アジャスタ４６は、光ガイド２０に対して固定された位置を有する。光学アジャスタ４６は、対向する主面４８および５０を有する。例示されている実施例では、光学アジャスタ４６の主面５０は光ガイド２０の主面２２に並置され、光ガイド２０の表面輪郭に一致する。光ガイド２０に面する光学アジャスタ４６の主面５０は主面２２から離間されているため、光学アジャスタ４６は光ガイド２０内の全内部反射を乱さない。光ガイド２０が平坦な実施例（たとえば図８〜図１０に図示）では、光学アジャスタ４６は平坦であり、主面２２に隣接して配置される。光学アジャスタ４６は、光ガイド２０から出力される光の少なくとも一部分がそこに入射するように配置される。図１に示されるように光ガイド２０が中空の円筒として構成される別の実施例では、光学アジャスタ４６も中空の円筒であり、光ガイド２０の内側または光ガイド２０の外側のいずれかに位置決めされ、それと同軸である。  
【００３４】
光学アジャスタ４６は２つ以上の光学アジャスタ領域を有する。図８〜図１０の実施例では、たとえば、光学アジャスタ４６は第１の光学アジャスタ領域５２および第２の光学アジャスタ領域５４を有する。第１の光学アジャスタ領域５２は第２の光学アジャスタ領域５４の光学特性とは異なる光学特性を有する。異なる光学特性は、添付の図において表面ハッチングで示される。異なる光学特性は、２つの異なる種類の光学特性または異なる量の同種の光学特性であり得る。例示されている実施例では、第１の光学アジャスタ領域５２から第２の光学アジャスタ領域５４への光学特性の変化は急峻である。他の実施例では、領域５２，５４間の移行は緩やかであり得る。
【００３５】
光学アジャスタ４６の光学アジャスタ領域５２は光ガイド２０の第１の光出力領域２８と整列され、したがって第１の光出力領域２８に関連付けられる。同様に、光学アジャスタ４６の光学アジャスタ領域５４は光ガイド２０の第２の光出力領域３０と整列され、したがって第２の光出力領域３０に関連付けられる。光学アジャスタ領域の光学特性は、それらに関連付けられているそれぞれの光出力領域の光学特性と相まって、点灯アセンブリ１０の光出力の特性を修正する。光出力領域の光学特性によって修正される光出力の特性の例は、強度プロファイル、光線角度分布、スペクトル、分極、およびコヒーレンスである。
【００３６】
光ガイド２０の主面２２から出力される光は、光学アジャスタ４６に入射する。光源１８と光ガイド２０との相対的な位置決めに依存して、光学アジャスタ４６に入射する光は、第１の光学アジャスタ領域５２の光学特性によって修正されかつ／または、第２の光学アジャスタ領域５４の光学特性によって修正される。図１０に示されるように、光ガイド２０に対する光源１８の位置が、光源１８からの光が光ガイド２０の第２の光出力領域３０から出力されるよりも多く光ガイド２０の第１の光出力領域２８から出力されるようなものである場合、光ガイド２０から発せられる光は、第２の光学アジャスタ領域５４に入射しその光学特性によって修正されるよりも多くが、第１の光学アジャスタ領域５２に入射し、その光学特性によって修正される。図８に示されるように、光ガイド２０に対する光源１８の位置が、光源１８からの光が光ガイドの第１の光出力領域２８から出力されるよりも多く光ガイド２０の第２の光出力領域３０から出力されるようなものである場合、光ガイド２０から発せられる光は、第１の光学アジャスタ領域５２に入射しその光学特性によって修正されるよりも多くが、第２の光学アジャスタ領域５４に入射し、その光学特性によって修正される。また、図９に示されるように、光ガイド２０による光出力が光学アジャスタ４６に入射し、第１の光学アジャスタ領域５２の一部分と第２の光学アジャスタ領域５４の一部分との間で配分される場合、光は、第１の光学アジャスタ領域５２および第２の光学アジャスタ領域５４の光学特性により比例して修正される。このように、点灯アセンブリ１０から出力される光の特性は、当該光に対する光学アジャスタ領域５２，５４のそれぞれの効果に基づいて修正され、光学アジャスタ領域５２，５４の間の光の配分に依存する。配分は、さらには光源１８と光ガイド２０との相対的な位置決めに依存する。
【００３７】
この実施例の変形例では、光出力領域２８，３０は各々異なる光学特性を有する。この変形例では、例示されるように、第１の光出力領域２８が第１の光学アジャスタ領域５２と整列され、第２の光出力領域３０が第２の光学アジャスタ領域５４と整列される。代替的に、第２の光学アジャスタ領域５４の一部分が第１の光出力領域２８と重なってもよいし、第１の光学アジャスタ領域５２の一部分が第２の光出力領域３０と重なってもよい。これらの変形例では、光ガイド２０から出力される光は、光が通過する第１または第２の光出力領域２８，３０の１つ以上の光学特性によって最初に修正され、光が通過する第１または第２の光学アジャスタ領域５２，５４の１つ以上の光学特性によってさらに修正される。
【００３８】
１つ以上の追加的な光学アジャスタが光学アジャスタ４６と光ガイド２０との間に配置され得る。１つ以上の追加的な光学アジャスタは、光ガイド２０から離れる方に面する光学アジャスタ４６の主面４８に隣接して配置され得る。存在する場合、各追加的なアジャスタは、単一の光学特性または多数の光学特性を有し得る。  
【００３９】
図１１に例示されるように、追加的な光学アジャスタ５８が光学アジャスタ４６に隣接して配置される。例示されている実施例の追加的な光学アジャスタ５８は光学アジャスタ４６に重ねられ、３つの光学アジャスタ領域６０，６２および６４を有し、その各々はそれぞれの光学特性を有して点灯アセンブリ１０によって出力される光をさらに修正する。光学アジャスタ４６のように、追加的な光学アジャスタ５８は光ガイド２０に対して固定された位置を有する。別の実施例では、追加的な光学アジャスタ５８と光ガイド２０とを互いに対して可変に位置決めすることができる。光ガイド２０から出力される光は、光源１８および光ガイド２０の可変の相対的な位置決めと、追加的に、この特徴が実施される実施例における追加的な光学アジャスタ５８および光ガイド２０の可変の相対的な位置決めとに依存して、光学アジャスタ４６，５８のアジャスタ領域の様々な組合せによって修正される。
【００４０】
別の例として、図１２に例示されるように、各々がそれぞれの光学特性を有し点灯アセンブリ１０によって出力される光をさらに修正する２つ以上の光学アジャスタ領域を有する追加的な光学アジャスタ５８は、光ガイド２０の、光学アジャスタ４６の反対側に隣接して配置される。例示されている実施例では、追加的な光学アジャスタ５８は、光学アジャスタ４６の第１の光学アジャスタ領域５２と整列された第１の光学アジャスタ領域６６を有し、第１の光学アジャスタ４６の第２の光学アジャスタ領域５４と整列された第２の光学アジャスタ領域６８を有する。また、光ガイド２０は両方の主面２２および２４から光を出力する。しかし、光が出力される光ガイドの主面２２，２４のエリアは、光ガイド２０と光源１８との可変の相対的な位置決めに依存する。
【００４１】
一構成では、かつ例示されているように、光学アジャスタ領域５２および６８は透過性であり、光学アジャスタ領域５４および６６は反射性である。一実施例では、透過性であることに加え、光学アジャスタ領域５２および６８は、拡散性、光方向変換性、偏光性、強度低下性、波長シフト性、または色減衰性などの少なくとも１つの追加的な光学特性を有する。このように、第１の主面２２の第１の光出力領域２８から出力され第１の光学アジャスタ領域５２に入射する光は、矢印７０によって示されるように第１の主面２２から離れる方向に点灯アセンブリ１０から出る。矢印７２によって示されるように、光ガイド２０の第２の主面２４の第１の光出力領域２８から出力された光は、第１の光学アジャスタ領域６６に入射し、光は第２の主面２４を通って反射し返され、光ガイド２０を通り、第１の主面２２を通って外に出、光を透過する第１の光学アジャスタ領域５２に入射する。光学アジャスタ領域５２によって透過される光は、その光学特性によって修正される。同様に、第２の主面２４の第２の光出力領域３０から出力され第２の光学アジャスタ領域６８に入射する光は、矢印７４によって示されるように第２の主面２４から離れる方向に点灯アセンブリ１０から出る。矢印７６によって示されるように、光ガイド２０の第１の主面２２の第２の光出力領域３０から出力された光は、第２の光学アジャスタ領域５４に入射し、光は第１の主面２２を通って反射し返され、光ガイド２０を通り、第２の主面２４を通って外に出、光を透過する第２の光学アジャスタ領域６８に入射する。光学アジャスタ領域６８によって透過される光は、その光学特性によって修正される。この実施例では、（たとえば矢印７０，７２によって、または矢印７４，７６によって示されるような）点灯アセンブリ１０によって光が発せられる方向は、光源１８と光ガイド２０との相対的な位置決めによって制御される。
【００４２】
図１３〜図２０を追加的に参照して、調整可能な光出力を有する点灯アセンブリ１０の一部の別の実施例が概略的に例示される。この実施例では、光ガイドアセンブリ７８は、第１の光ガイド８０および第２の光ガイド８２を含む。光ガイド８０，８２と積層される追加的な光ガイドが存在し得る。光ガイド８０および８２は、互いに並置され表面輪郭が一致する内側主面８４および８６をそれぞれ有するが、主面８４，８６は、各光ガイド内で全内部反射を乱すことを防ぐために十分な間隙で離間される。光ガイド８０，８２は形状が同様であるものとして例示されるが、光ガイド８０，８２は、長さ、幅および厚さのうち１つ以上が異なっていてもよい。
【００４３】
図１４〜図２０を追加的に参照して、先の実施例と同様に、光源１８および光ガイドアセンブリ７８を互いに対して可変に位置決めすることができる。図示の例では、光源１８は、光源１８からの光が光入力端縁９０を通って第２の光ガイド８２に入力されるよりも多く光入力端縁８８を通って第１の光ガイド８０に入力される（図１４および図１８）かまたは、光入力端縁８８を通って第１の光ガイド８０に入力されるよりも多くの光が光入力端縁９０を通って第２の光ガイド８２に入力される（図１６および図２０）かまたは、光入力端縁８８および９０の両方を通って光を入力することによって、第１の光ガイド８０と第２の光ガイド８２との間で光が配分される（図１５および図１９は、２つの光ガイド８０および８２の間でほぼ等しい配分を示す）ように、位置決めされる。
【００４４】
この実施例では、第１の光ガイド８０は第１の特性を有する光を出力し、第２の光ガイド８２は第１の特性とは異なる第２の特性を有する光を出力する。出力光の例示的な特性は上で特定される。図１３〜図１７の実施例では、光ガイドアセンブリ７８に関する光源１８の相対的な位置決めは、光入力端縁８８，９０と平行かつ光ガイド８０，８２の主面と直交する方向において変更される。光源１８と光ガイド８０，８２との相対的な位置決めは、光入力端縁８８，９０と平行かつ光ガイド８０，８２の主面８４，８６と平行な方向において追加的に変更し、たとえば図３〜図１２の実施例を用いて追加的な光出力特性をもたらすことができる。
【００４５】
一実施例では、点灯アセンブリから出力される光の特性は光出力方向である。たとえば図１４〜図１６を参照して、光源１８と光ガイドアセンブリ７８との相対的な位置決めに依存して、第２の光ガイド８２の外側主面９４から出力されるよりも多くの光が第１の光ガイド８０の外側主面９２から出力される（図１４）か、第１の光ガイド８０の外側主面９２から出力されるよりも多くの光が第２の光ガイド８２の外側主面９４から出力される（図１６）か、または第１の光ガイド８０の外側主面９２および第２の光ガイド８２の外側主面９４の両方から同等の量の光が出力される（図１５）。
【００４６】
図１４〜図１６に示される実施例のいくつかの例では、光ガイド８０，８２の光抽出素子２７は、光入力端縁８８に入る光が外側主面９２を通って第１の光ガイド８０から出、光入力端縁９０に入る光が外側主面９４を通って第２の光ガイド８２から出るように構成される。他の例では、光ガイド８０，８２の光抽出素子２７は、光入力端縁８８に入る光が外側主面９４を通って第２の光ガイド８２から出、光入力端縁９０に入る光が外側主面９２を通って第１の光ガイド８０から出るように構成される。図１７に示されるように、光ガイド８０，８２の光抽出素子２７は、第１の光ガイド８０の光入力端縁８８に入る光が内側主面８４を通って第１の光ガイド８０から出、内側主面８６を通って第２の光ガイド８２に入り、第２の光ガイド８２を通過し、第２の光ガイド８２の外側主面９４を通って出るように構成される。追加的に、光抽出素子２７は、第２の光ガイド８２の光入力端縁９０に入る光が内側主面８６を通って第２の光ガイド８２から出、内側主面８４を通って第１の光ガイド８０に入り、第１の光ガイド８０を通過し、第１の光ガイド８０の外側主面９２を通って出るように構成される。この例示的な実施例では、面８４および８６は、光ガイド８０，８２の一方から抽出された光が、全内部反射によって光ガイドの他方内で光が伝搬しないような角度で光ガイドの他方に入るように、協働する光抽出素子９６を有する。図１７は、内側主面８４，８６が面の一方からの突起が面の他方の凹みに収容され、逆もまた同様である例を示す。図１７では、光線９８によって描かれるように、第１の光ガイド８０の光入力端縁８８（図１４）に入った光は、全内部反射によって第１の光ガイド８０を通って進行する。例示的な光抽出素子９６に入射する光の部分は、光抽出素子９６による屈折によって第１の光ガイド８０から出、例示的な光抽出素子９７を通って第２の光ガイド８２に入る。光はその後、第２の光ガイド８２を通過し、外側主面９４に入射すると、屈折によって第２の光ガイド８２から出る。第２の光ガイド８２の光入力表面９０を通って光ガイドアセンブリ７８に入る光は同様に挙動し、第１の光ガイド８０の外側主面９２を通って光ガイドアセンブリ７８から出る。
【００４７】
別の例として、図１８〜図２０を参照して、入力光を光ガイド８０，８２の間で配分するための光源１８と光ガイドアセンブリ７８との相対的な位置決めに依存して、光入力端縁９０の遠位の第２の光ガイド８２の端縁１００からよりも多くの光が第１の光ガイド８０の外側主面９２から出力される（図１８）かまたは、第１の光ガイド８０の外側主面９２からよりも多くの光が第２の光ガイド８２の端縁１００から出力される（図２０）かまたは、第１の光ガイド８０の主面９２および第２の光ガイド８２の端縁１００の両方から同等の量の光が出力される（図１９）。第１の光ガイド８０の主面８４，９２の一方または両方における光抽出素子２７は、外側主面９２を通って光を出力するように構成される。また、図示の例では、第２の光ガイド８２は、遠位端縁１００に入射し屈折によって光ガイド８２から出るまで、光ガイド８２を通って光が伝搬するような光抽出素子２７を有さない。端縁１００は、端縁を通る光透過を最大化するために反射防止用コーティングを含み得る。変形例では、第２の光ガイド８２は、光ガイド８２を通って伝搬する光の一部分が外側主面９４から出、当該光の別の一部分（典型的に残りの部分）が端縁１００から出るように構成された光抽出素子２７を有する。
【００４８】
すべての図を参照して、点灯アセンブリ１０の光出力の特性は光源１８と光ガイド２０との可変の相対的な位置決め（またはいくつかの実施例では、光源１８と光ガイドアセンブリ７８との可変の相対的な位置決め）に基づいて修正される。修正は、光ガイド２０または光ガイドアセンブリ７８の各光出力領域に関連付けられた光学特性にさらに依存する。たとえば、第１の光線角度分布、または第１の光線角度分布と異なる第２の光線角度分布、または第１および第２の光線角度分布間のいずれかの中間光線角度分布である光線角度分布を点灯アセンブリからの光出力に選択的にもたらすように、相対的な位置決めを変更し得る。
【００４９】
点灯アセンブリ１０によって出力される光の色は、領域５２，５４の一方もしくは両方において光学アジャスタ４６の上もしくは一部としてまたは光ガイド２０の上もしくは一部としてカラーフィルタ層を、領域５２，５４の一方もしくは両方においてまたは光ガイド２０の上もしくは一部として光学アジャスタ４６のカラーフィルタリング材料組成を、領域５２，５４の一方もしくは両方において光学アジャスタ４６の上もしくは一部としてまたは光ガイド２０の上もしくは一部としてダイクロイックフィルタを、または領域５２，５４の一方もしくは両方において光学アジャスタ４６の上もしくは一部としてまたは光ガイド２０の上もしくは一部として波長シフト材料を用いて変化させ得る。一例では、点灯アセンブリ１０は光出力の色温度を変化させるように構成される。多くのＬＥＤ光源１８は対応する色温度を実現するように意図される範囲の波長で光を発する。しかし、同じ定格色温度を有するＬＥＤの束内では、ＬＥＤごとに変動する。また、広域スペクトルＬＥＤ（たとえば「白色光」ＬＥＤ）または三色ＬＥＤのグループ（たとえば出力を組合わせて白色光を生成する赤色ＬＥＤ、青色ＬＥＤ、および緑色ＬＥＤ）は、ユーザにとって望ましいかまたはある点灯用途に適切な色温度を生成しない場合がある。点灯アセンブリ１０から出力される光の色温度を修正するために、第１の領域２８および場合によっては第２の領域３０に関連付けられた光学特性が使用され得る。たとえば、第１の領域２８に関連付けられた光学特性は、より暖かくなるように（赤が多いかもしくは青が少ない、またはその両方の）光出力を修正し得、第２の領域３０に関連付けられた光学特性は、より涼しくなるように（赤が少ないかもしくは青が多い、またはその両方の）光出力を修正し得る。
【００５０】
いくつかの実施例は、所望の色温度を実現するために、点灯アセンブリ１０から出力される光の色温度をユーザが調整することが可能となるように構成される。他の実施例は、点灯アセンブリ１０の製造業者が点灯アセンブリ１０から出力される光の色温度を調整して、異なるロットの光源１８に関連付けられた異なる色温度を補償することが可能となるように構成される。これにより、点灯アセンブリ製造業者はより広範囲の光源１８を１つ以上の供給業者に供給し、なおかつ規定され一貫した色温度で点灯アセンブリを製造することが可能となる。
【００５１】
いくつかの実施例では、出力光が規定された特性を有する（たとえば規定された色温度が得られる）まで、光ガイド２０と光源１８との相対的な位置決めが点灯アセンブリ１０の製造業者によって変更される。相対的な位置決めはその後点灯アセンブリ１０の製造業者によって固定され、点灯アセンブリ１０は、点灯アセンブリ１０のユーザが相対的な位置決めをさらに変更することができる力を最小化するように構成される。他の実施例では、ユーザは相対的な位置決めを変更することができる力を有する。
【００５２】
他の用途が上記の光学特性と構造的実施例とのいずれかの組合せを使用することに基づいて明らかとなる。
【００５３】
さらに別の実施例では、光源アセンブリ１６は、光ガイド２０に対して移動するかまたは移動しない別の光源を含む。この実施例では、追加的な光源を選択的に点灯させて、光が光ガイド２０に入力される位置をさらに変化させる。
【００５４】
図１に戻り、電球１２として具体化された場合の点灯アセンブリ１０に関する追加的な詳細について説明する。電球１２はベース１０２を含む。例示されているベース１０２はねじ込み口金であるが、白熱電球、螢光灯、小型螢光灯（ＣＦＬ）、ハロゲン電球、高輝度放電（ＨＩＤ）電球、アークランプ、またはいずれかの他の種類の電球をランプ、照明器具、懐中電灯、ソケットなどに機械的に固定するため、かつ／またはそこに電気を供給するために使用されるいずれかの商業上標準的なベースまたは専用のベースを含む他の種類のベース１０２を使用してもよい。球１２は、典型的に、光源１８によって生じた熱を放散するヒートシンク１０４をさらに含む。例示された実施例形態のヒートシンク１０４は、ハウジング３６の一部を形成する。光ガイド２０および光源１８などの電球１２の部品は、図３〜図２０を参照して上に説明される。
【００５５】
ここでの「電球」という記載は、光発生装置であって、当該光発生装置を機械的に取付けて当該光発生装置に電力を提供するために用いられるさまざまな固定具のいずれかに嵌合し係合する光発生装置を広く包含することを意味する。そのような固定具の例として、エジソン電球ベースに係合するねじ込み固定具、差込電球ベースに係合する差込固定具、およびバイピン電球ベースに係合するバイピン固定具が含まれるが、これらに限定されない。したがって、「電球」という用語は単独では、光発生装置の形状、または電力から光を発生するメカニズムをまったく限定しない。また、電球は、光を発生するための環境を形成する閉じたハウジングを有しなくてもよい。電球は米国規格協会（ＡＮＳＩ）または電灯の他の規格に準拠し得るが、電球はこれに必ずしも準拠しなくてもよい。
【００５６】
図２に戻り、照明器具１４に関する追加的な詳細について説明する。照明器具１４は、吊下げライト（図示）、天井灯（たとえばドロップダウン天井に嵌合するかまたは天井と面一に固定するためのアセンブリ）、壁面照明（wall sconce）、卓上ランプ、タスクライト、または他の照明装置であり得る。照明器具は、光源アセンブリ１６および光ガイド２０を保持するためのハウジング１０６を含む。ハウジング１０６は、ヒートシンクを保持し得るか、またはヒートシンクとして機能し得る。いくつかの実施例では、照明器具１４は、点灯アセンブリを保持構造（たとえば天井、壁など）に機械的に固定するための機構１０８（たとえば吊下げライトの場合はチェーンもしくはワイヤ、または天井灯もしくは壁面照明の場合はクリップもしくは留め具など）を含む。他の実施例では、機構１０８は、照明器具１４がフロアランプ、卓上ランプ、タスクランプなどとして機能することを可能にするためのスタンドおよび／またはベースアセンブリである。電力は適切な導体を通って照明器具に供給され、機構１０８の一部を形成し得るかまたは機構１０８を通過し得る場合もある。光ガイド２０および光源１８などの電球１２の部品は、図３〜図２０を参照して上に説明される。
【００５７】
次に図２１〜図２３を参照して、点灯アセンブリ１０の別の実施例が例示される。この実施例では、例示される点灯アセンブリ１０は電球１２である。電球１２は、適合するソケット（図示せず）に電球１２を機械的に取付け、ソケットから電力を受取るように構成されたベース１０２を有する。電球１２は、ベース１０２に機械的に結合されたハウジング３６も含む。一実施例では、ハウジング３６は、熱を放散するためにヒートシンクとしても機能するかまたはヒートシンクを保持する。
【００５８】
１つ以上の光源１８がハウジング３６に機械的に結合される。光源１８は、以下により詳細に説明するように、１つ以上の光ガイド２０および１つ以上の光学アジャスタ１１０と協働するように配置される。一実施例では、かつ光ガイド２０および光学アジャスタ１１０との協働の目的のために、個々の光源１８が多数の光源グループ１０３にグループ分けされる。いくつかの実施例では、単一の光源１８がそれぞれ各光源グループ１０３を構成する。一実施例では、光源１８は、ハウジング３６に取付けられた印刷回路基板１９（図２１〜図２３では図示しないが図１参照）に搭載される。ベース１０２を介して受取った電気を用いて光源１８を駆動するための電気回路（図示せず）がベース１０２またはハウジング３６に配置される。したがって、光源１８はベース１０２に電気的に結合される。
【００５９】
電球１２は、ハウジング３６に機械的に結合され、ハウジング３６に対して回転可能な調節部材１１２によって光源１８に対して可変に位置決めすることができる１つ以上の光ガイド２０を含む。上記の光ガイドと同様に、各光ガイド２０は、光が全内部反射によってその間を伝搬する対向する主面２２，２４、光入力端縁２６、および主面２２，２４の少なくとも一方における光抽出素子２７（図２１〜図２３では具体的に図示せず）を含む。
【００６０】
各光ガイド２０は、第１の位置と第２の位置との間で位置決めすることができる。図２１および図２２に示される例では、各光ガイド２０は第２の位置にある。光ガイド２０が第１の位置にあるとき、光入力端縁２６は、光ガイド２０が光源グループ１０３の光源１８によって端縁照射されるように、光源グループ１０３のうち１つに隣接し整列される。光ガイド２０が第２の位置にあるとき、光入力端縁２６は光源１８のいずれにも隣接せず整列されない。したがって、光ガイド２０が第２の位置にあるときは、光ガイド２０はいずれの光源１８から発せられた光によっても端縁照射されない。光ガイド２０は、光ガイド２０から抽出される光の強度が光ガイド２０が第１の位置にあるときに光ガイド２０から抽出される光の１０分の１未満である光ガイド２０の位置では、いずれの光源１８によっても端縁照射されないものと見なされる。
【００６１】
一実施例では、光抽出素子２７は拡散光線角度分布で光ガイド２０から光を抽出するように構成される。したがって、光ガイド２０が第１の位置にあるとき、電球１２から抽出される光は広面積を照らすことになる。いくつかの実施例では、光ガイド２０は、光ガイド２０から抽出される光に影響を及ぼすための副次的な光学特性を有する。例示的な副次的な光学特性は、反射性、（主表面２２，２４の少なくとも一方に隣接する光方向変換膜（図示せず）を追加するなどによる）光方向変換性、偏光性、波長シフト性、および色減衰性を含む。いくつかの実施例では、光ガイド２０は２つ以上の副次的な光学特性を有し、光ガイドから抽出される光に影響を及ぼす。他の実施例では、異なる光ガイド２０がそれぞれ異なる副次的な光学特性で光に影響を及ぼす。  
【００６２】
図２１〜図２３の電球１２は、１つ以上の光学アジャスタ１１０をさらに含む。一実施例では、各光源グループ１０３について光学アジャスタのグループ（光学アジャスタグループ１１１と称する）があり、各光学アジャスタグループ１１１内には、各光源１８のための光学アジャスタ１１０がある。いくつかの実施例では、それぞれ単一の光学アジャスタ１１０が各光学アジャスタグループ１１１を構成する。光学アジャスタ１１０は、光学アジャスタ１１０を光源１８に対して可変に位置決めするように回転可能な調節部材１１２によって、ハウジング３６に機械的に結合される。一実施例では、１つ以上の光ガイド２０が第２の位置にあるとき、光学アジャスタグループ１１１は、各光学アジャスタ１１０が光源１８の少なくとも１つとそれぞれ整列するように、それぞれの光源グループ１０３と整列される。このように、光源１８から発せられた光は、それぞれの光学アジャスタ１１０を通って電球１２から発せられる。  
【００６３】
一実施例では、光学アジャスタ１１０はレンズである。光学アジャスタ１１０のためのレンズの１種は視準レンズであり、視準レンズは、光が電球１２から視準レンズを通って発せられた場合に、光ガイド２０を通って電球１２から光が発せられる場合よりも狭い光線角度分布で光が発せられるように構成される。他の実施例では、光学アジャスタ１１０は異なる特性または副次的な特性を光に与える。光学アジャスタ１１０の例示的な光学特性は、鏡面透過性、拡散性、光方向変換性、偏光性、強度低下性、波長シフト性、および色減衰性を含む。いくつかの実施例では、光学アジャスタ１１０は、電球１２から発せられた光に影響を及ぼす２つ以上の光学特性を有する。他の実施例では、異なる光学アジャスタ１１０が異なる光学特性でそれぞれ光に影響を及ぼす。  
【００６４】
例示された実施例の光ガイド２０および光学アジャスタ１１０は、調節部材１１２に機械的に結合される。調節部材１１２は、さらにハウジング３６に機械的に結合される。調節部材１１２は、第１の位置と第２の位置との間で各光ガイド２０を移動させ、相応して、光ガイド２０が第２の位置にあるときに各光学アジャスタグループ１１１をそれぞれの光源グループ１０３と整列させるように移動させるように、ハウジング３６に対して可変に位置決めすることができる。例示された実施例では、光源１８は、電球１２の長手軸に垂直な面内の円の周囲に沿って配置される。調節部材１１２は、電球１２の長手軸の周りを回転する。光ガイド２０および光学アジャスタ１１０は調節部材１１２によって保持され、したがって光ガイド２０の光入力端縁２６および光学アジャスタ１１０は、光源１８の面に平行かつ隣接した面内の上記円の周囲に沿って配置される。図示の例では、光入力端縁２６を光源１８と整列させるために、光ガイド２０が光入力端縁２６の長さ方向に湾曲される。環状配置以外の、光源１８、光入力端縁２６、および光学アジャスタ１１０の他のレイアウトが可能である。別の例では、光ガイド２０は湾曲していない光入力端縁２６を有し、光源１８は１本以上の直線に沿って配置される。別の例では、光ガイド２０は調節部材１１２の回転軸に平行ではない。  
【００６５】
一例が図２３に示される一実施例では、調節部材１１２は円盤状の部材であり、第１の組の開口部１１４を有する。各開口部１１４は、光入力端縁２６を光源１８に露出させるようにそれぞれの光ガイド２０をそこに保持する。調節部材１１２は第２の組の開口部１１６も有し、各開口部１１６は、光学アジャスタ１１０を光源１８に露出させるようにそれぞれの光学アジャスタ１１０をそこに保持する。一例では、光ガイド２０および光学アジャスタ１１０は、接着剤によって開口部１１４および１１６に保持される。光ガイド２０および光学アジャスタ１１０を調節部材１１２に搭載する他の方法が可能であり、使用され得る。別の例では、光学アジャスタは透明であり、開口部１１４，１１６がない（たとえば、光ガイド２０および光学アジャスタ１１０は透明な調節部材１１２に搭載されるか、またはその一部である）。
【００６６】
例示されている実施例では、ハウジング３６は、空気がそこを通って流れ光源１１８によって生じた熱を放散する冷却空気孔１１８を含む。冷却空気孔１１８は、電球１２の向きに依存して、ベース１０２に隣接したハウジング３６の外部から光ガイド２０によって包囲された領域に、またはその逆に空気が通過することを可能にする。空気が冷却空気孔１１８に流れ込むかまたはそこから流れ出すことを可能にするために、調節部材１１２は、第３の組の開口部１２０を含む。例示されている実施例の第３の組の開口部１２０は、光ガイド２０を第１の位置または第２の位置のいずれかに配置するように調節部材１１２が位置決めされると、通気孔１１８と整列される。また、第３の組の開口部１２０および冷却空気孔１１８は、調節部材１１２が第１の位置と第２の位置との間の他の位置にあるとき、開口部１２０および冷却空気孔１１８を通って空気が流れることを可能にするように構成される。
【００６７】
一実施例では、光ガイド２０が第１および第２の位置にあるように位置決めされると、光ガイド２０が他の位置にある（たとえば光ガイド２０が第１または第２の位置の一方にない）ときに対して、調節部材１１２の移動に対する抵抗が増大する。このように、電球１２は、光ガイド２０が光源１８によって端縁照射されるように位置決めされるかまたは、光学アジャスタ１１０がそれぞれの光源１８から光を受取るように位置決めされる構成にとどまる傾向を有することになる。調節部材１１２の他の位置でも、光学アジャスタ１１０のいくつかが光源１８のいくつかから光を受取るように位置決めされ（たとえば、光学アジャスタグループ１１１がそれぞれの光源グループ１０３と部分的に重なり）、光源グループ１０３の残りの光源１８が光ガイド２０を端縁照射する（たとえば、光入力端縁２６がそれぞれの光源グループ１０３と部分的に重なる）場合のように、移動に対する抵抗が大きい。一例では、ハウジング３６および調節部材１１２の一方が戻り止め（図示せず）を含み、ハウジング３６および調節部材１１２の他方が、調節部材１１２のある位置における移動に対して抵抗を一括してもたらす窪み（図示せず）を含む。  
【００６８】
光学アジャスタ１１０のいくつかが光源１８のいくつかから光を受取るように位置決めされ、残りの光源１８が光ガイド２０を端縁照射する場合、電球１２から発せられる光の光線角度分布は、光ガイド２０から抽出される光の光線角度分布と、光学アジャスタ１１０によって発せられる光の光線角度分布との組合せである。また、調節機構１１２および光源１８の可変の相対的な位置決めにより、電球１２から出力される光を、光ガイド２０を介して出力される光と光学アジャスタ１１０を介して出力される光との間で選択的に配分することが可能となる。
【００６９】
本開示において、「〜の１つ」という語句の前に一覧がある場合、当該一覧の要素を選択的に意味することを意図している。たとえば「Ａ、ＢおよびＣの１つ」は、ＡまたはＢまたはＣを意味する。「〜の少なくとも１つ」という語句の前に一覧がある場合、当該一覧の要素の１つ以上を選択的に意味することを意図している。たとえば、「Ａ、ＢおよびＣの少なくとも１つ」は、ＡまたはＢまたはＣまたは（ＡおよびＢ）または（ＡおよびＣ）または（ＢおよびＣ）または（ＡおよびＢおよびＣ）を意味する。
【図１】
2014514688.tif 000003
【図２】
2014514688.tif 000004
【図３】
2014514688.tif 000005
【図４】
2014514688.tif 000006
【図５】
2014514688.tif 000007
【図６】
2014514688.tif 000008
【図７】
2014514688.tif 000009
【図８】
2014514688.tif 000010
【図９】
2014514688.tif 000011
【図１０】
2014514688.tif 000012
【図１１】
2014514688.tif 000013
【図１２】
2014514688.tif 000014
【図１３】
2014514688.tif 000015
【図１４】
2014514688.tif 000016
【図１５】
2014514688.tif 000017
【図１６】
2014514688.tif 000018
【図１７】
2014514688.tif 000019
【図１８】
2014514688.tif 000020
【図１９】
2014514688.tif 000021
【図２０】
2014514688.tif 000022
【図２１】
2014514688.tif 000023
【図２２】
2014514688.tif 000024
【図２３】
2014514688.tif 000025
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
点灯アセンブリであって、
全内部反射によって光がその間を伝搬する対向する主面、光入力端縁、および一方が主面の一方と関連付けられる２つの光出力領域を含む光ガイドを備え、各光出力領域は、異なる光学特性と関連付けられ、さらに、
光入力端縁と隣接して配置され、前記光ガイドに光を入力する光源を備え、光が前記光ガイドから発せられ前記光出力領域どうしの間で選択的に配分されるように、前記光源および前記光ガイドを互いに対して可変に位置決めして、光が前記光ガイドに入力される前記光入力端縁上の位置を変更することができ、したがって前記点灯アセンブリから出力される光の特性は、前記光出力領域に関連付けられた光学特性と、前記光源および前記光ガイドの相対的な位置決めとに基づいて修正される、点灯アセンブリ。
【請求項２】
前記点灯アセンブリから出力される光の修正される特性はスペクトルであるかまたは、
前記点灯アセンブリから出力される光の修正される特性は色温度であるかまたは、
前記点灯アセンブリから出力される光の修正される特性は光出力方向である、請求項１に記載の点灯アセンブリ。
【請求項３】
前記光出力領域に関連付けられた光学特性は単一の光学特性の量において異なる、請求項１に記載の点灯アセンブリ。
【請求項４】
前記光学特性は、反射性、拡散性、光方向変換性、偏光性、反射偏光性、強度低下性、波長シフト性、および色減衰性のうち少なくとも１つである、請求項３に記載の点灯アセンブリ。
【請求項５】
前記光出力領域の第１の光出力領域に関連付けられた光学特性は第１の特性を光出力に加え、前記光出力領域の第２の光出力領域に関連付けられた光学特性は異なる特性を光出力に加え、前記光学特性は、反射性、拡散性、光方向変換性、偏光性、反射偏光性、強度低下性、波長シフト性、および色減衰性のうち少なくとも１つである、請求項１に記載の点灯アセンブリ。
【請求項６】
主面が前記光ガイドの前記主面の一方に並置されかつ一致する光学アジャスタをさらに備え、前記光出力領域との前記光学特性の関連付けは、前記光出力領域と整列された前記光学アジャスタのそれぞれの光学アジャスタ領域によって実現される、請求項１に記載の点灯アセンブリ。
【請求項７】
前記光学アジャスタは第１の光学アジャスタであり、
前記点灯アセンブリは、前記第１の光学アジャスタに重ねられた第２の光学アジャスタをさらに備え、
前記第２の光学アジャスタは、光学特性が異なる光学アジャスタ領域を含み、前記第２の光学アジャスタの光学特性と、前記光源および前記光ガイドの相対的な位置決めとに基づいて、前記点灯アセンブリの光出力特性の数を増大させる、請求項６に記載の点灯アセンブリ。
【請求項８】
前記光学アジャスタは第１の光学アジャスタであり、
前記点灯アセンブリは、主面が前記光ガイドの前記主面の一方に並置されかつ一致する第２の光学アジャスタをさらに備え、前記第２の光学アジャスタは、光学特性が異なる光学アジャスタ領域を含む、請求項６に記載の点灯アセンブリ。
【請求項９】
前記第１の前記光学アジャスタは透過性の光学アジャスタ領域と反射性の光学アジャスタ領域とを有し、
前記第２の光学アジャスタは、前記第１の前記光学アジャスタの前記透過性の光学アジャスタ領域と整列された反射性の光学アジャスタ領域と、前記第１の前記光学アジャスタの前記反射性の光学アジャスタ領域と整列された透過性の光学アジャスタ領域とを有する、請求項８に記載の点灯アセンブリ。
【請求項１０】
前記光ガイドはさらに、
前記光ガイドの主面の少なくとも一方において第１の光抽出素子を含み、前記第１の光抽出素子は、前記光出力領域の第１の光出力領域を規定し、さらに、
前記光ガイドの主面の少なくとも一方において第２の光抽出素子を含み、前記第２の光抽出素子は、前記光出力領域の第２の光出力領域を規定し、
前記第１および第２の光抽出素子は、前記第１の光出力領域および前記第２の光出力領域に関連付けられた異なる光学特性を実現するようにそれぞれ構成される、請求項１に記載の点灯アセンブリ。
【請求項１１】
前記第１の光抽出素子は、前記第１の光出力領域が前記第２の光出力領域とは異なる強度プロファイルまたは前記第２の光出力領域とは異なる光線角度分布の一方で光を出力するように、寸法、形状、深さまたは高さ、密度、向き、傾斜角、および屈折率のうち少なくとも１つにおいて前記第２の光抽出素子とは異なる、請求項１０に記載の点灯アセンブリ。
【請求項１２】
点灯アセンブリであって、
光が全内部反射によってその間を伝搬する対向する内側および外側主面、光入力端縁、およびある光学特性に関連付けられた光出力領域を含む第１の光ガイドと、
光が全内部反射によってその間を伝搬する対向する内側および外側主面、光入力端縁、およびある光学特性に関連付けられた光出力領域を含む第２の光ガイドとを備え、前記第２の光ガイドの前記内側主面は、前記第１の光ガイドの前記内側主面に並置されかつ一致し、さらに、
前記光入力端縁に隣接して配置された光源を備え、前記第１の光ガイドに入力され前記第１の光ガイドの前記光出力領域から出力される光の量と、前記第２の光ガイドに入力され前記第２の光ガイドの前記光出力領域から出力される光の量との間で光を選択的に配分するように、前記光源および前記光入力端縁を互いに対して可変に位置決めすることができ、したがって前記点灯アセンブリから出力される光の特性は、前記光出力領域に関連付けられた光学特性と、前記光源および前記光入力端縁の相対的な位置決めとに基づいて修正される、点灯アセンブリ。
【請求項１３】
前記電球を機械的に搭載し、かつ電力を受取るように構成されたベースを備え、
前記光源は前記ベースに電気的に結合される、電球として構成された請求項１〜１１のうちいずれか１項に記載の点灯アセンブリ。
【請求項１４】
前記電球を機械的に搭載し、かつ電力を受取るように構成されたベースを備え、
前記光源は前記ベースに電気的に結合される、電球として構成された請求項１２に記載の点灯アセンブリ。
【請求項１５】
電球であって、
前記電球を機械的に搭載し、かつ電力を受取るように構成されたベースと、
前記ベースに機械的に結合されたハウジングと、
前記ベースに電気的に結合され、前記ハウジングに機械的に結合された光源と、
前記光源に対して可変に位置決めすることができるように前記ハウジングに機械的に結合された光ガイドとを備え、前記光ガイドは、光が全内部反射によってその間を伝搬する対向する主面、光入力端縁、および前記主面の少なくとも一方における２つの光抽出素子を含み、前記光ガイドは、前記光ガイドが前記光源によって端縁照射されるように前記光入力端縁が前記光源と隣接する第１の位置と、前記光ガイドが前記光源によって端縁照射されない第２の位置との間で位置決めすることができる、電球。
【国際調査報告】
2014514688.tif 000026
2014514688.tif 000027